【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
回転体に取り付けられた回転磁石と、該回転磁石に対向して配置された基板上に設けられた複数の磁電変換素子と、該複数の磁電変換素子上に設けられた磁気収束板とを備えた磁場計測装置の異常検出装置において、
前記磁気収束板を介して、前記基板平面に平行な磁場と前記基板平面に垂直な磁場とを検出して信号を出力する第１の磁電変換素子と、
前記磁気収束板を介して、前記基板平面に平行な磁場を前記第１の磁電変換素子と異なる符号で検出し、かつ前記基板平面に垂直な磁場を検出し、信号を出力する第２の磁電変換素子と、
前記第１の磁電変換素子の出力と前記第２の磁電変換素子の出力との和に基づいて異常を検出演算する演算部と
を備えていることを特徴とする磁場計測装置の異常検出装置。
【請求項２】
前記第１の磁電変換素子の出力と前記第２の磁電変換素子の出力とに基づいて前記磁場の大きさを計測する計測部を備えていることを特徴とする請求項１に記載の磁場計測装置の異常検出装置。
【請求項３】
前記演算部が、所定の閾値を記憶した閾値記憶部と、前記第１及び第２の磁電変換素子の出力の和と前記所定の閾値とに基づいて異常を検出する故障検出部とを備えていることを特徴とする請求項１又は２に記載の磁場計測装置の異常検出装置。
【請求項４】
前記磁気収束板を介して、前記基板平面に平行な磁場と前記基板平面に垂直な磁場とを検出して信号を出力する第３の磁電変換素子と、
前記磁気収束板を介して、前記基板平面に平行な磁場を前記第３の磁電変換素子と異なる符号で検出し、かつ前記基板平面に垂直な磁場を検出し、信号を出力する第４の磁電変換素子とを更に備え、
前記故障検出部は、
前記第１の磁電変換素子のＸ軸及びＺ軸の出力と前記第２の磁電変換素子のＸ軸及びＺ軸の出力との和と、前記第３の磁電変換素子のＹ軸及びＺ軸の出力と前記第４の磁電変換素子のＹ軸及びＺ軸の出力との和と、前記所定の閾値とに基づき異常を検出演算することを特徴とする請求項３に記載の磁場計測装置の異常検出装置。
【請求項５】
回転体に取り付けられた回転磁石と、該回転磁石に対向して配置された基板上に設けられた複数の磁電変換素子と、該複数の磁電変換素子上に設けられた磁気収束板とを搭載した磁場計測装置に対して接触又は非接触で異常を検出する異常検出装置において、
前記異常検出装置に搭載され、前記磁気収束板を介して、前記基板平面に平行な磁場と前記基板平面に垂直な磁場とを検出する第１の磁電変換素子からの出力と、前記磁気収束板を介して、前記基板平面に平行な磁場を前記第１の磁電変換素子と異なる符号で検出し、かつ前記基板平面に垂直な磁場を検出する第２の磁電変換素子の出力とを受信する受信部と、
該受信部からの信号を受けて前記第１の磁電変換素子の出力と前記第２の磁電変換素子の出力との和に基づいて異常を検出する演算部と
を備えていることを特徴とする磁場計測装置の異常検出装置。
【請求項６】
前記演算部が、前記第１及び第２の磁電変換素子の出力の和と所定の閾値とに基づいて異常を検出する故障検出部とを備えていることを特徴とする請求項５に記載の磁場計測装置の異常検出装置。
【請求項７】
前記受信部は、更に、
前記異常検出装置に搭載され、前記磁気収束板を介して、前記基板平面に平行な磁場と前記基板平面に垂直な磁場とを検出する第３の磁電変換素子からの出力と、前記磁気収束板を介して、前記基板平面に平行な磁場を前記第３の磁電変換素子と異なる符号で検出し、かつ前記基板平面に垂直な磁場を検出する第４の磁電変換素子の出力とを受信し、
前記故障検出部は、
前記第１の磁電変換素子のＸ軸及びＺ軸の出力と前記第２の磁電変換素子のＸ軸及びＺ軸の出力との和と、前記第３の磁電変換素子のＹ軸及びＺ軸の出力と前記第４の磁電変換素子のＹ軸及びＺ軸の出力との和と、前記所定の閾値とに基づき異常を検出演算することを特徴とする請求項６に記載の磁場計測装置の異常検出装置。
【請求項８】
前記磁電変換素子が、ホール素子であることを特徴とする請求項１乃至７のいずれかに記載の磁場計測装置の異常検出装置。
【請求項９】
請求項１乃至８のいずれかに記載の磁場計測装置の異常検出装置を用いたことを特徴とする回転角検出装置。
【手続補正２】
【補正対象書類名】明細書
【補正対象項目名】００１６
【補正方法】変更
【補正の内容】
【００１６】
本発明は、このような目的を達成するためになされたもので、請求項１に記載の発明は、回転体に取り付けられた回転磁石と、該回転磁石に対向して配置された基板上に設けられた複数の磁電変換素子と、該複数の磁電変換素子上に設けられた磁気収束板とを備えた磁場計測装置の異常検出装置において、前記磁気収束板を介して、前記基板平面に平行な磁場と前記基板平面に垂直な磁場とを検出して信号を出力する第１の磁電変換素子と、前記磁気収束板を介して、前記基板平面に平行な磁場を前記第１の磁電変換素子と異なる符号で検出し、かつ前記基板平面に垂直な磁場を検出し、信号を出力する第２の磁電変換素子と、前記第１の磁電変換素子の出力と前記第２の磁電変換素子の出力との和に基づいて異常を検出演算する演算部とを備えていることを特徴とする。
【手続補正３】
【補正対象書類名】明細書
【補正対象項目名】００１８
【補正方法】変更
【補正の内容】
【００１８】
また、請求項４に記載の発明は、請求項３に記載の発明において、前記磁気収束板を介して、前記基板平面に平行な磁場と前記基板平面に垂直な磁場とを検出して信号を出力する第３の磁電変換素子と、前記磁気収束板を介して、前記基板平面に平行な磁場を前記第３の磁電変換素子と異なる符号で検出し、かつ前記基板平面に垂直な磁場を検出し、信号を出力する第４の磁電変換素子とを更に備え、前記故障検出部は、前記第１の磁電変換素子のＸ軸及びＺ軸の出力（＋Ｖｘ＋Ｖｚ）と前記第２の磁電変換素子のＸ軸及びＺ軸の出力（−Ｖｘ＋Ｖｚ）との和（（＋Ｖｘ＋Ｖｚ）＋（−Ｖｘ＋Ｖｚ）＝２Ｖｚ）と、前記第３の磁電変換素子のＹ軸及びＺ軸の出力（＋Ｖｙ＋Ｖｚ）と前記第４の磁電変換素子のＹ軸及びＺ軸の出力（−Ｖｙ＋Ｖｚ）との和（（＋Ｖｙ＋Ｖｚ）＋（−Ｖｙ＋Ｖｚ）＝２Ｖｚ）と、前記所定の閾値とに基づき異常を検出演算することを特徴とする。
【手続補正４】
【補正対象書類名】明細書
【補正対象項目名】００１９
【補正方法】変更
【補正の内容】
【００１９】
また、請求項５に記載の発明は、回転体に取り付けられた回転磁石と、該回転磁石に対向して配置された基板上に設けられた複数の磁電変換素子と、該複数の磁電変換素子上に設けられた磁気収束板とを搭載した磁場計測装置に対して接触又は非接触で異常を検出する異常検出装置において、前記異常検出装置に搭載され、前記磁気収束板を介して、前記基板平面に平行な磁場と前記基板平面に垂直な磁場とを検出する第１の磁電変換素子からの出力と、前記磁気収束板を介して、前記基板平面に平行な磁場を前記第１の磁電変換素子と異なる符号で検出し、かつ前記基板平面に垂直な磁場を検出する第２の磁電変換素子の出力とを受信する受信部と、該受信部からの信号を受けて前記第１の磁電変換素子の出力と前記第２の磁電変換素子の出力との和に基づいて異常を検出する演算部とを備えていることを特徴とする。
【手続補正５】
【補正対象書類名】明細書
【補正対象項目名】００２０
【補正方法】変更
【補正の内容】
【００２０】
また、請求項６に記載の発明は、請求項５に記載の発明において、前記演算部が、前記第１及び第２の磁電変換素子の出力の和と所定の閾値とに基づいて異常を検出する故障検出部とを備えていることを特徴とする。
また、請求項７に記載の発明は、請求項６に記載の発明において、前記受信部は、更に、前記異常検出装置に搭載され、前記磁気収束板を介して、前記基板平面に平行な磁場と前記基板平面に垂直な磁場とを検出する第３の磁電変換素子からの出力と、前記磁気収束板を介して、前記基板平面に平行な磁場を前記第３の磁電変換素子と異なる符号で検出し、かつ前記基板平面に垂直な磁場を検出する第４の磁電変換素子の出力とを受信し、前記故障検出部は、前記第１の磁電変換素子のＸ軸及びＺ軸の出力（＋Ｖｘ＋Ｖｚ）と前記第２の磁電変換素子のＸ軸及びＺ軸の出力（−Ｖｘ＋Ｖｚ）との和（（＋Ｖｘ＋Ｖｚ）＋（−Ｖｘ＋Ｖｚ）＝２Ｖｚ）と、前記第３の磁電変換素子のＹ軸及びＺ軸の出力（＋Ｖｙ＋Ｖｚ）と前記第４の磁電変換素子のＹ軸及びＺ軸の出力（−Ｖｙ＋Ｖｚ）との和（（＋Ｖｙ＋Ｖｚ）＋（−Ｖｙ＋Ｖｚ）＝２Ｖｚ）と、前記所定の閾値とに基づき異常を検出演算することを特徴とする。